(57)【要約】      （修正有）【課題】洋式便器の便座とフタを衛生的且つ安全に開閉する便座フタ開閉装置の提供。【解決手段】便座フタ開閉装置は、ボックスＭの側面外側に配置された特殊ペダルＩと、特殊ペダルＩの略中央部に固定されているとともにボックスＭに対して枢支された連動第一軸Ｂと、連動第一軸Ｂに固定され連動第一軸Ｂに連動する連動第一アームＤと、連動第一アームＤの端部に連結され連動第一アームＤに連動して上下方向に往復動可能に連結されているとともに上端部が便座Ｑに固定される連動第二アームＦと、を持つ。特殊ペダルＩは、連動第一軸Ｂよりも手前方向に延設する便座開口用の踏み込み部Ａと、連動第一軸Ｂよりも後方方向に延び先端に屈曲部Ｃ１を持つ便座下降用の踏み込み部Ｃとをもつ。【選択図】図４
0003129536.tif 000002
【実用新案登録請求の範囲】
【請求項１】
洋式便器の便座とフタを特殊ペダルを踏み込むことにより開ける事と、同一の特殊ペダルを踏み込み便座を閉めることを特徴とする洋式便器のための便座とフタの開閉装置。
【考案の詳細な説明】
【考案の詳細な説明】
【技術分野】
【０００１】  この考案は、洋式便器の便座とフタを衛生的且つ安全に開閉する装置であり、電気を使用しないため維持費も必要としない装置である。
【背景技術】
【０００２】  従来この装置は、一部電動式の物が有るが高価なため普及せず又他の装置も幼児や  高齢者、身体の不自由な方に負担がかかり適当でなかった。
さらに便座の開閉に手を使用したり、男性の場合立って使用するため衛生面に問題があった。
【考案の開示】
【考案が解決しようとする課題】
【０００３】  本案は手を使用することなく、特殊ペダルを足で踏み込むことで便座の開閉が可能なため、衛生的であり幼児や高齢者、身体の不自由な方にも負担が掛からず又維持費も必要としない安全で理想的な装置である。
【問題を解決するための手段】
【０００４】  本案は特殊ペダルの開発により、装置の合理化簡素化を促進し、よりコンパクト化することができた。そのことにより広く普及されている洋式便器に容易に取付することができ、前述の問題を全て解決している。
【考案の効果】
【０００５】  本考案は、上述の説明通り誰もが取付可能であること、コンパクト（小型化されているため）で場所を取らないことさらに衛生面、経済面、安全面の以上５点が解決できることが利点である。
【考案の実施形態】
【０００６】  次に本考案の実施の形態例について、図を参照して説明する。
図１と図２の本装置とボックスは一体化され、ボックスはＪ１．Ｊ２、Ｋ１．Ｋ２により床面と固定されている。
【実施例】
【０００７】  図１と図２において特殊ペダルＩのＡを踏み込むことで、ＤとＩとＰは接合固定されているのでテコの支点がＢの軸になりＤに連動する。
Ｅの軸は回転可能なため上部へとＦに連動する。
また、Ｆは接合固定されたＧとＨとＬに連動する。
Ｈは洋式便器便座と固定されているので、上部へ移動し開口する。
また、特殊ペダルＩのＣを踏むことで逆の動作となり便座が下降する。
【図面の簡単な説明】
【０００８】
【図１】本考案の装置を右側面から見た図
【図２】本考案の装置を上から見た図
【図３】本考案の装置を洋式便器に取り付けた右側図面
【図４】本考案の装置を洋式便器に取り付けた斜視図
【符号の説明】
【０００９】  Ａ：特殊ペダル踏み込み板（便座とフタ開口用）
Ｂ：連動第一軸
Ｃ：特殊ペダル踏み込み板（便座下降用）
Ｄ：連動第一アーム
Ｅ：連動第二軸
Ｆ：連動第二アーム
Ｇ：便座固定軸
Ｈ：便座固定板
Ｉ：特殊ペダル本体
Ｊ１：ボックス右前側面固定板（床面）
Ｊ２：ボックス左前側面固定板（床面）
Ｋ１：ボックス右後側面固定板（床面）
Ｋ２：ボックス左後側面固定板（床面）
Ｌ：便座固定シャフト
Ｍ：ボックス
Ｐ：特殊ペダルシャフト
【図１】
0003129536.tif 000003
【図２】
0003129536.tif 000004
【図３】
0003129536.tif 000005
【図４】
0003129536.tif 000006
【手続補正書】
【提出日】平成18年12月7日(2006.12.7)
【手続補正１】
【補正対象書類名】実用新案登録請求の範囲
【補正対象項目名】全文
【補正方法】変更
【補正の内容】
【実用新案登録請求の範囲】
【請求項１】
洋式便器が設置されている床面に固定されるとともに側面に軸穴をもち上面にアーム穴をもつボックスと、該ボックスの側面外側に配置された特殊ペダルと、該特殊ペダルの略中央部に固定されているとともに前記軸穴に挿着されて前記ボックスに対して枢支され前記特殊ペダルに連動する連動第一軸と、前記ボックスの内部に配置され前記連動第一軸に固定され前記連動第一軸をテコの支点として前記連動第一軸に連動して可動する連動第一アームと、該連動第一アームの端部に連結され前記連動第一アームに連動して上下方向に往復動可能に連結されているとともに上端部が前記ボックスの前記アーム穴から突出して前記洋式便器の便座に固定される連動第二アームと、を持ち、
前記特殊ペダルは、該特殊ペダルの略中央部から一方方向に延設され踏み込み時に前記連動第一軸及び前記連動第一アームの連動によって前記連動第二アームが上方移動することによって前記便座を開口させる便座開口用の踏み込み部と、前記略中央部から他方方向に延設され踏み込み時に前記連動第一軸及び前記連動第一アームの連動によって前記連動第二アームが下方移動することによって前記便座を閉止させる便座下降用の踏み込み部とをもつことを特徴とする洋式便器の便座フタ開閉装置。
【請求項２】
前記便座開口用の踏み込み部は、前記略中央部よりも手前方向に延設された板状部であり、前記便座下降用の踏み込み部は、前記略中央部よりも後方方向に延設されているとともに先端に前記ボックス側面から遠方方向に屈曲された屈曲部をもつことを特徴とする請求項１記載の洋式便器の便座フタ開閉装置。
【手続補正２】
【補正対象書類名】明細書
【補正対象項目名】全文
【補正方法】変更
【補正の内容】
【考案の詳細な説明】
【技術分野】
【０００１】
この考案は、洋式便器の便座とフタを衛生的且つ安全に開閉する便座フタ開閉装置に関する。
【背景技術】
【０００２】
従来、洋式便器の便座フタ開閉装置は、一部電動式のものが有った。
【考案の開示】
【考案が解決しようとする課題】
【０００３】
しかしながら、電動式の装置は、高価なため普及せず又他の装置も幼児や高齢者、身体の不自由な方に負担がかかり適当でなかった。
さらに便座の開閉に手を使用したり、男性の場合立って使用するため衛生面に問題があった。
【課題を解決するための手段】
【０００４】
本案は、洋式便器の便座とフタを特殊ペダルを踏み込むことにより開ける事と、同一の特殊ペダルを踏み込み便座を閉めることを特徴とする洋式便器のための便座とフタの開閉装置である。
すなわち、本案は、洋式便器が設置されている床面に固定されるとともに側面に軸穴をもち上面にアーム穴をもつボックスと、ボックスの側面外側に配置された特殊ペダルと、特殊ペダルの略中央部に固定されているとともに軸穴に挿着されてボックスに対して枢支され特殊ペダルに連動する連動第一軸と、ボックスの内部に配置され連動第一軸に固定され連動第一軸をテコの支点として連動第一軸に連動して可動する連動第一アームと、連動第一アームの端部に連結され連動第一アームに連動して上下方向に往復動可能に連結されているとともに上端部がボックスのアーム穴から突出して洋式便器の便座に固定される連動第二アームと、を持ち、特殊ペダルは、特殊ペダルの略中央部から一方方向に延設され踏み込み時に連動第一軸及び連動第一アームの連動によって連動第二アームが上方移動することによって便座を開口させる便座開口用の踏み込み部と、略中央部から他方方向に延設され踏み込み時に連動第一軸及び連動第一アームの連動によって連動第二アームが下方移動することによって便座を閉止させる便座下降用の踏み込み部とをもつことを特徴とする洋式便器の便座フタ開閉装置である。
また、便座開口用の踏み込み部は、略中央部よりも手前方向に延設された板状部であり、便座下降用の踏み込み部は、略中央部よりも後方方向に延設されているとともに先端に前記ボックス側面から遠方方向に屈曲された屈曲部をもつことが好ましい。
【考案の効果】
【０００５】
本考案は、手を使用することなく、特殊ペダルを足で踏みこむことで便座の開閉が可能なため、衛生的であり幼児や高齢者、身体の不自由な方にも負担が掛からず又電気を使用しないため維持費も必要としない安全で理想的な装置である。
本案は特殊ペダルの開発により、装置の合理化簡素化を促進し、よりコンパクト化することができた。そのことにより広く普及されている洋式便器に容易に取付することができ、前述の問題をすべて解決している。
本考案は、上述の説明通り誰もが取付可能であること、コンパクト(小型化されているため)で場所を取らないことさらに衛生面、経済面、安全面の以上５点が解決できることが利点である。
【考案を実施するための最良の形態】
【０００６】
次に本考案の実施の形態例について、図１〜図４を参照して説明する。
本例の便座フタ開閉装置は、図１〜図４に示すように、洋式便器が設置されている床面に固定されるとともに側面に軸穴Ｓをもち上面にアーム穴ＴをもつボックスＭと、ボックスＭの側面外側に配置された特殊ペダルＩと、特殊ペダルＩの略中央部に固定されているとともに軸穴Ｓに挿着されてボックスＭに対して枢支され特殊ペダルＩに連動する連動第一軸Ｂと、ボックスＭの内部に配置され連動第一軸Ｂに固定され連動第一軸Ｂをテコの支点として連動第一軸Ｂに連動して可動する連動第一アームＤと、連動第一アームＤの端部に連結され連動第一アームＤに連動して上下方向に往復動可能に連結されているとともに上端部がボックスＭのアーム穴Ｔから突出して洋式便器の便座Ｑに固定される連動第二アームＦと、を持つ。特殊ペダルＩは、略中央部よりも手前方向に延設する板状の便座開口用の踏み込み部Ａと、連動第一軸Ｂよりも後方方向に延設され先端に前記ボックス側面から遠方方向に屈曲された屈曲部Ｃ１を有する便座下降用の踏み込み部Ｃとをもつ。
本装置とボックスＭは一体化され、ボックスＭは固定板Ｊ１、Ｊ２、Ｋ１、Ｋ２により床面に固定されている。
【０００７】
図１と図２において特殊ペダルＩの踏み込み部Ａを踏み込むことで、連動第一アームＤと特殊ペダルＩと連動第一軸Ｂは接合固定されているのでテコの支点が連動第一軸Ｂになり連動第一アームＤに連動する。
連動第二軸Ｅは回転可能なため上部へと連動第二アームＦに連動する。
また、連動第二アームＦは接合固定された便座固定軸Ｇと便座固定板Ｈに連動する。
便座固定板Ｈは洋式便器便座と固定されているので、上部へ移動し開口する。
また、特殊ペダルＩの踏み込み部Ｃを踏むことで逆の動作となり便座が下降する。
【図面の簡単な説明】
【０００８】
【図１】本考案の装置を右側面から見た図
【図２】本考案の装置を上から見た図
【図３】本考案の装置を洋式便器に取付けた右側図面
【図４】本考案の装置を洋式便器に取付けた斜視図
【符号の説明】
【０００９】
Ａ：特殊ペダル踏み込み部（便座とフタ開口用）
Ｂ：連動第一軸
Ｃ：特殊ペダル踏み込み部（便座下降用）
Ｃ１：屈曲部
Ｄ；連動第一アーム
Ｅ：:連動第二軸
Ｆ：連動第二アーム
Ｇ：便座固定軸
Ｈ：便座固定板
Ｉ：特殊ペダル
Ｊ１：ボックス右前側面固定板（床面）
Ｊ２：ボックス左前側面固定板（床面）
Ｋ１：ボックス右後側面固定板（床面）
Ｋ２：ボックス左後側面固定板（床面）
Ｍ：ボックス
Ｓ：軸穴
Ｔ：アーム穴
Ｑ：便座
【手続補正３】
【補正対象書類名】図面
【補正対象項目名】図２
【補正方法】変更
【補正の内容】
【図２】
0003129536.tif 000007
【手続補正４】
【補正対象書類名】図面
【補正対象項目名】図３
【補正方法】変更
【補正の内容】
【図３】
0003129536.tif 000008
【手続補正５】
【補正対象書類名】図面
【補正対象項目名】図４
【補正方法】変更
【補正の内容】
【図４】
0003129536.tif 000009